(57)【特許請求の範囲】
【請求項１】
一つまたは複数の電池セルよりなる二次電池ブロックと、
該二次電池ブロックを充電器によって充電するために、該二次電池ブロックによる電圧または該充電器からの電圧によって駆動するように設けられており、該充電器からの充電電流が供給される充電経路に、第１スイッチ素子が設けられると共に、該第１スイッチ素子と並列に充電電流制限抵抗および第２スイッチ素子の直列回路が設けられており、該第１スイッチ素子および該第２スイッチ素子が前記二次電池ブロックの電圧に基づいて切り替えられる充電回路とを有する電池パックであって、
該充電回路は、前記第１スイッチ素子および前記第２スイッチ素子を前記二次電池ブロックの電圧に基づいてそれぞれ切り替えるスイッチ制御手段を有し、
該スイッチ制御手段は、前記二次電池ブロックの電圧が所定の電圧値以下である場合に、前記第１スイッチ素子をＯＦＦ状態にすると共に、前記充電電流制限抵抗に印加される電力が該充電電流制限抵抗によって低レート充電電流を作り出すために該充電電流制限抵抗に印加可能な最大電力になるように前記第２スイッチ素子をＰＭＷ（Pulse  Width  Modulation）制御によってＯＮ／ＯＦＦ動作させるようになっており、
前記充電電流制限抵抗が、前記充電電流の増加に伴う温度増加によって抵抗値が増加する正の温度特性を有するＰＴＣ素子であって、前記スイッチ制御手段は、前記二次電池ブロックの電圧が所定の電圧値以下である場合に、前記第２スイッチ素子を連続してＯＮにすることにより、前記ＰＴＣ素子に連続して前記充電電流を通電して、該ＰＴＣ素子の温度特性に基づいて該充電電流を制御することを特徴とするパック電池。
【発明の詳細な説明】
【０００１】
【発明の属する技術分野】
本発明は、ニッケル水素二次電池、リチウムイオンニ次電池等の二次電池に用いられる充電回路に関する。
【０００２】
【従来の技術】
二次電池および二次電池状態演算回路（二次電池保護回路を含む）から構成されているパック電池では、パック電池内に設けられた充電回路は、パック電池内の二次電池を電力源としている。そのため、パック電池内の二次電池の電圧が低下し深放電状態になると、パック電池内の充電回路は、動作を続けることが出来ない。このとき、パック電池外部より充電器を接続して二次電池の充電を行っても、二次電池の電圧が充電回路の電力源として十分な電圧復帰状態となるまで、充電回路は、所定の動作を行うことは出来ない。
【０００３】
パック電池内に設けられた充電回路は、二次電池の充放電状態の制御および充放電回数等の使用履歴の把握を目的としており、パック電池の充電時の安全確保は、重要である。
【０００４】
しかしながら、前述の通り、パック電池内の二次電池が深放電状態となると、パック電池内に各手段で構成される充電回路が所定の動作を行うことができなくなる。この時、パック電池の充電時の安全確保は、過充電を防止することであるため、パック電池の安全確保は、外部の充電器によって行う必要がある。したがって、過充電を防止するための機能は、パック電池以外の装置にも必要となる。
【０００５】
また、二次電池が深放電状態である時、二次電池の出力電圧が復帰するまでは、急速充電ではなく、低レート充電を行なわなければならず、パック電池の二次電池に充電する充電器には、深放電状態であるパック電池の二次電池に対して低レート充電を行なえる機能が必要となる。さらに、充電器は、二次電池が過充電状態に陥るのを回避するために、検出される二次電池の出力電圧と電流および温度により充電時の充電制御を行うが、充電開始からパック電池内における充電回路の所定の動作機能が回復するまでの間、パック電池の経歴が不明な状態で充電が行われることになる。その結果、使用禁止である事を記憶手段に記憶されているパック電池内の二次電池が深放電状態まで電圧が低下している場合、二次電池の電圧が復帰し、パック電池内における充電回路の所定の動作機能が回復してパック電池の経歴が記憶手段によって明確になるまで長時間を要し、充放電サイクル使用回数がサイクル寿命に達して使用禁止と判断された時期まで不明確になる。
【０００６】
図７は、従来のパック電池のブロック図である。二次電池ブロック３は、パック電池１に内蔵されており、スイッチ素子５を介して充電器８により充電される。パック電池１は、二次電池ブロック３の電圧を検出する電圧検出手段４と、スイッチ素子５を制御するスイッチ制御手段６と、二次電池ブロック３の充電情報が記憶された記憶手段７とを有している。電圧検出手段４、スイッチ素子５、スイッチ制御手段６、記憶手段７より充電回路２が構成されている。
【０００７】
二次電池ブロック３は、一つあるいは複数の電池セルが接続されており、各電池セルの電圧および二次電池ブロック３の各電池セルの電圧が電圧検出手段４によってそれぞれ監視されている。電圧検出手段４は、検出した各電池セルの電圧および二次電池ブロック３の全電圧をスイッチ制御手段６に与える。スイッチ制御手段６は、電圧検出手段４から与えられた電圧値と記憶手段７からの充電情報（電圧値、電流値等）とに基づいてスイッチ素子５のＯＮ／ＯＦＦ動作を制御し、二次電池ブロック３への充電電流を制御する。スイッチ素子５は、充電器８と二次電池ブロック３との間に設けられ、充電電流の電流値を調整する。記憶手段７は、二次電池ブロック３を充電するための充電情報（電圧値、電流値等）および二次電池ブロック３の履歴を記憶しており、これらの情報を充電時に、スイッチ制御手段６に与える。
【０００８】
図８（ａ）および（ｂ）は、それぞれ深放電状態（例えば０Ｖ状態）における充電電流とパック電池１内の二次電池ブロック３の出力電圧およびパック電池１内の充電回路２の動作タイミング（例えば５Ｖ以上で動作）の関係を示すグラフである。
【０００９】
図８に示す様に、二次電池ブロック３の電圧が復帰するまでの時間ｔ１までは、パック電池１外部の充電器８より供給される充電電流は、二次電池を劣化させないように低レート充電される。このため、パック電池１内の充電回路２は、二次電池ブロック３の電圧値が充電回路２の動作電圧まで復帰しない時間ｔ１までは起動せず、時間ｔ１が過ぎると動作を始める。したがって、パック電池１内の充電回路２が動作して、二次電池ブロック３の過去の履歴および充電情報が把握できるまでにｔ１の時間が必要となる。
【００１０】
【発明が解決しようとする課題】
前述したように、パック電池１内の二次電池ブロック３の電圧値が回復するまでパック電池１内の充電回路２が正常に動作しないように構成されている場合には、充放電サイクル全てにおいて、完全に自己完結可能なパック電池１は、実現できない。特に、マイクロコントローラを内蔵した電池パックでは、充電開始時に、パック電池側より充電電流値および充電電圧値を充電器側へ通信する仕様になっており、前述のように、二次電池ブロックが深放電状態となったパック電池に関してはこの仕様を満足することは出来ないと言う問題がある。
【００１１】
本発明は、このような課題を解決するものであり、その目的は、ＳＢＳを有するパック電池において二次電池が深放電状態であっても、充電開始前に二次電池の充放電サイクル回数等の使用可否に関する過去の履歴および充電情報が把握でき、低レート充電も可能なパック電池を提供することである。
【００１２】
【課題を解決するための手段】
本発明のパック電池は、一つまたは複数の電池セルよりなる二次電池ブロックと、該二次電池ブロックを充電器によって充電するために、該二次電池ブロックによる電圧または該充電器からの電圧によって駆動するように設けられており、該充電器からの充電電流が供給される充電経路に、第１スイッチ素子が設けられると共に、該第１スイッチ素子と並列に充電電流制限抵抗および第２スイッチ素子の直列回路が設けられており、該第１スイッチ素子および該第２スイッチ素子が前記二次電池ブロックの電圧に基づいて切り替えられる充電回路とを有する電池パックであって、該充電回路は、前記第１スイッチ素子および前記第２スイッチ素子を前記二次電池ブロックの電圧に基づいてそれぞれ切り替えるスイッチ制御手段を有し、該スイッチ制御手段は、前記二次電池ブロックの電圧が所定の電圧値以下である場合に、前記第１スイッチ素子をＯＦＦ状態にすると共に、前記充電電流制限抵抗に印加される電力が該充電電流制限抵抗によって低レート充電電流を作り出すために該充電電流制限抵抗に印加可能な最大電力になるように前記第２スイッチ素子をＰＭＷ（Pulse  Width  Modulation）制御によってＯＮ／ＯＦＦ動作させるようになっており、前記充電電流制限抵抗が、前記充電電流の増加に伴う温度増加によって抵抗値が増加する正の温度特性を有するＰＴＣ素子であって、前記スイッチ制御手段は、前記二次電池ブロックの電圧が所定の電圧値以下である場合に、前記第２スイッチ素子を連続してＯＮにすることにより、前記ＰＴＣ素子に連続して前記充電電流を通電して、該ＰＴＣ素子の温度特性に基づいて該充電電流を制御することを特徴とし、これにより上記目的が達成される。
【００２０】
【発明の実施の形態】
以下、図面を参照しながら本発明の実施の形態を説明する。
【００２１】
図１は、本発明の実施形態であるパック電池の概略ブロック図である。
二次電池ブロック１３は、パック電池１１に内蔵されており、パック電池１１内に充電回路１２が設けられている。二次電池ブロック１３の充電回路１２に設けられた二次電池ブロック１３のプラス端子は、充電回路１２内の第１スイッチ素子１５を介して充電器１８の電力供給端子に接続されている。二次電池ブロック１３のマイナス端子は、充電器１８の電力帰還端子に接続されている。第１スイッチ素子１５には、充電電流制御抵抗２０と第２スイッチ素子１９との直列回路が並列接続されている。
【００２２】
パック電池１１の充電回路１２には、二次電池ブロック１３の電圧を検出する電圧検出手段１４と、第１スイッチ素子１５および第２スイッチ素子１９を制御するスイッチ制御手段１６と、充電情報を記憶する記憶手段１７とが設けられている。
【００２３】
充電器１８に接続される電源ラインには、ダイオード３０ａが設けられており、充電回路１２には、電源ラインおよびダイオード３０ａを介して、駆動電圧が印加される。二次電池ブロック１３のプラス端子は、ダイオード３０ｂを介して、充電回路１２に接続されている。充電回路１２は、二次電池ブロック１３より出力される電圧が駆動可能電圧以上である場合、または、二次電池ブロック１３より出力される電圧が駆動可能電圧以下であっても、第１スイッチ素子１５をＯＦＦにすることで充電器１８より供給される電圧を駆動電圧として利用可能である間は動作が可能となる。
【００２４】
二次電池ブロック１３は、一つあるいは複数の電池セルが接続されて構成されており、各電池セルの電圧および二次電池ブロック１３の全電圧が、電圧検出手段１４によって監視されている。
【００２５】
電圧検出手段１４は、検出した各電池セルの電圧および二次電池ブロック１３の全電圧をスイッチ制御手段１６に与える。
【００２６】
スイッチ制御手段１６は、電圧検出手段１４から与えられた電圧値と記憶手段１７からの充電情報（電圧値、電流値等）とに基づいて第１および第２スイッチ素子１５および１９のＯＮ／ＯＦＦ動作を制御し、二次電池ブロック１３への充電電流を制御する。
【００２７】
充電器１８と二次電池ブロック１３との間に設けられた第１スイッチ素子１５は、急速充電時に、スイッチ制御手段１６によってＯＮ／ＯＦＦ制御され、充電電流の電流値を調整する。なお、第１スイッチ素子１５は、二次電池ブロック１３の電圧が記憶手段１７に記憶される電圧よりも低く、低レートによる充電が必要と判断される時、および充電が諸条件（温度、複数の電池セルからなる二次電池ブロック１３の各セル電圧に一定以上のバラツキが確認される場合、二次電池ブロックが満充電状態である場合等）により充電実施が相応しくないと判断される場合にはＯＦＦ状態とされる。
【００２８】
充電電流制限抵抗２０と第２スイッチ素子１９とは、直列接続されており、低レート充電時に第２スイッチ素子１９は、スイッチ制御手段１６によってＯＮ／ＯＦＦ制御されて充電電流の電流値を調整する。第２スイッチ素子１９は、急速充電時にはＯＦＦ状態とされる。
【００２９】
記憶手段１７は、二次電池ブロック１３を充電するための充電情報として、充電電流、充電電圧と、二次電池ブロック１３の充放電サイクル使用回数等の履歴とを記憶しており、これらの情報を充電開始前に、スイッチ制御手段１６に与える。
【００３０】
ダイオード３０ａおよび３０ｂは、それぞれ充電器１８から充電回路１２への駆動電圧印加時に、充電器１８への印加電流の逆流防止および二次電池ブロック１３へ電圧印加防止の働きをする。
【００３１】
二次電池ブロック１３を充電するには、充電器１８より充電回路１２へ駆動電圧が印加され、充電回路１２は、動作状態となる。これにより、記憶手段１７から充電情報が読み出されスイッチ制御手段１６に与えられる。スイッチ制御手段１６は、二次電池ブロック１３の充放電サイクル使用回数等の履歴内容より、充電の可否を確認する。充電可能であれば、スイッチ制御手段１６は、記憶手段１７からの充電情報に基づき、第２スイッチ素子１９のＯＮ／ＯＦＦ制御によって充電電流制限抵抗２０に印加される平均電力が一定になるように充電電流を調整する。そして、スイッチ制御手段１６は、第２スイッチ素子１９のＯＮ／ＯＦＦ制御の一周期当りのパルスのデューティ比および周波数を決定し、充電器１８からの充電電流をＰＷＭ（Ｐｕｌｓｅ  Ｗｉｄｔｈ  Ｍｏｄｕｌａｔｉｏｎ）にて制御しながら、二次電池ブロック１３への低レート充電を行う。
【００３２】
この低レート充電において、スイッチ制御手段１６は、低レート充電電流を作り出す充電電流制限抵抗２０に印加可能な最大電力が二次電池ブロック１３の電圧状態に関係無く印加されることが可能となる様に制御する。また、充電回路１２を実現する上において、スイッチ制御手段１６を用いてＰＷＭ制御を行うことにより、充電電流制限抵抗２０に最大平均電力を印加し続けることが可能となり、充電電流制限抵抗２０の小型化（小電力化）を実施した場合でも充電時間への影響を最小限にすることが可能となる。その結果として、通電可能な最大の低レート充電電流を低レート充電電流として充電可能となり、低レート充電時間の短縮に貢献することが可能となる。
【００３３】
低レート充電が進み、二次電池ブロック１３を構成する各電池セルの電圧および電池ブロックの全電圧が所定の電圧値以上になったことを電圧検出手段１４が検出すると、スイッチ制御手段１６は、第２スイッチ素子１９をＯＦＦにし、第１スイッチ素子１５をＯＮ／ＯＦＦ制御することにより、急速充電（定電流充電）を開始する。そして満充電の電圧値に達したことを電圧検出手段１４が検出すると、二次電池ブロック１３に対する充電は終了する。
【００３４】
図２は、本発明の他の実施形態であるパック電池の概略ブロック図である。本実施形態は、図１の充電電流制御抵抗２０として感温素子であるＰＴＣ（Ｐｏｓｉｔｉｖｅ  Ｔｅｍｐｅｒａｔｕｒｅ  Ｃｏｅｆｆｉｃｉｅｎｔ）素子２１が第２スイッチ素子１９に直列接続されている。また、二次電池ブロック１３には、二次電池ブロック１３の温度を検出する温度検出手段２２が設けられている。ＰＴＣ素子２１は、温度上昇によって抵抗値が増加し、温度下降によって抵抗値が減少するという正の温度係数を有する感温素子である。
【００３５】
図２の構成では、仮に、第２スイッチ素子の制御が適切に実施できずに通電状態で固定された場合にも、ＰＴＣ素子２１に流れる電流によりＰＴＣ素子２１は自己発熱し、抵抗値は増大することで充電電流は絞られる。このことから、第２スイッチ素子１９の異常発熱または発煙を防止することが可能となる。
【００３６】
図５は、ＰＴＣ素子２１の温度と通電電流との関係をグラフ化したものである。ＰＴＣ素子２１の抵抗値は、温度上昇と共に増加するため、ＰＴＣ素子２１の通電電流は、温度上昇に伴って減少する（電流値Ｂ＞電流値Ａ）。したがって、温度に対するＰＴＣ素子２１の通電電流は、充電許可温度範囲である０℃〜６０℃の範囲では、負の勾配の直線に近似される。このＰＴＣ素子２１の温度電流特性は、表１に示すようになる。
【００３７】
【表１】
0003633855.tif 000002
以上より、ＰＴＣ素子２１を使用する場合には、ＰＴＣ素子２１の特性から温度により低レート充電電流値を増減させることによって、固定抵抗値を有する充電電流制限抵抗２０を使用するよりも低レート充電時間を短縮することが可能となる。さらに、ＰＴＣ素子２１の使用は、充電許可温度範囲内におけるＰＴＣ素子２１の通電可能電流値を温度条件に関係無く、低レート充電のための通電を行うように、ＰＷＭ制御することにより、メモリ容量の節約も可能になる。
【００３８】
また、ＰＴＣ素子２１は、素子温度が上昇すると抵抗値が大きく増加する。ＰＴＣ素子２１に連続して許容範囲以上の電流を通電させると、ＰＴＣ素子２１は、自己発熱により抵抗値が急増する温度を超えるために抵抗値が増大する。この時、ＰＴＣ素子２１は、抵抗値を増大させて通電できる電流を制限するが、完全に電流を遮断することはできない。この時に通電する電流を漏れ電流と言い、漏れ電流は、ＰＴＣ素子２１に印加される電圧によって変化（ＰＴＣ素子２１が消費する電力は一定）する。
【００３９】
前述のＰＴＣ素子２１の特性を利用して、二次電池ブロック１３が低レート充電が必要である電圧状態においては、第１スイッチ素子１５をＯＦＦにし、第２スイッチ素子１９をＯＮにすることにより、ＰＴＣ素子２１に連続して充電電流を通電させ、この充電電流がＰＴＣ素子２１の動作電流よりも大きい場合、ＰＴＣ素子２１は、動作（抵抗値を増大）して電流値を絞り、低レート電流を作り出すことも可能となる。この充電方法が選択される場合には、二次電池ブロック１３の電圧が電圧検出手段１４によって低レート充電が必要であると判断されると、スイッチ制御手段１６は、第１スイッチ素子１５をＯＦＦにし、第２スイッチ素子１９をＯＮ状態にして、ＰＴＣ素子２１に連続して電圧を印加する。
【００４０】
二次電池ブロック１３の電圧が極めて低く、ＰＴＣ素子２１に通電される電流がＰＴＣ素子２１の動作電流より大きいと、ＰＴＣ素子２１は、その抵抗値を増大させ、低レート電流を作り出す。低レート充電を行うことにより、電圧値が復帰しつつあるが、さらに電圧値復帰までに低レート充電が必要である二次電池ブロック１３において、ＰＴＣ素子２１に通電される充電電流がＰＴＣ素子２１の動作電流よりも小さくなると、ＰＴＣ素子２１は、動作状態から通常状態へ復帰して、充電電流は、（充電器出力電圧−二次電池ブロック電圧）／（ＰＴＣ素子２１抵抗値）  となって低レート充電を継続する。ＰＷＭ充電制御を行う場合と同様に、二次電池ブロック１３の電圧が復帰して、急速充電が可能な電圧状態になると、第２スイッチ素子１９はＯＦＦにされ、第１スイッチ素子はＯＮにされ急速充電状態へ移行する。この構成で充電回路１２を実現する場合、充電制御手段の制御は、簡略化される効果が期待できる。
【００４１】
以下、図２に示されるパック電池の動作について図３のフローチャートに基づいて説明する。電圧が低下して、充電回路１２に電力供給できなくなった二次電池ブロック１３を充電する場合には、まず充電器１８より充電回路１２へ駆動電圧が印加され、充電回路１２は動作状態となり、記憶手段１７から充電情報が読み出されスイッチ制御手段１６に与えられると同時に、充電器１８にもこの情報を通信する（ステップ１）。
【００４２】
スイッチ制御手段１６は、記憶手段１７から充電情報が読み出されると、二次電池ブロック１３の充放電サイクル使用回数等の履歴内容に基づいて、充電の可否を確認する。充放電サイクル使用回数がサイクル寿命に達している場合には、二次電池ブロック１３への充電は不許可となり、充電は直ちに終了する（ステップ２）。
【００４３】
充電許可の場合には、温度検出手段２２で二次電池ブロック１３の表面温度を測定して充電可能温度（０℃〜６０℃）か否かを判断する。二次電池ブロック１３の表面温度が、充電可能温度（０℃〜６０℃）でない温度では、温度測定を繰り返す（ステップ３）。
【００４４】
充電可能温度になると、スイッチ制御手段１６は、記憶手段１７からの充電情報（電圧値、電流値等）に基づき、第２スイッチ素子１９のＯＮ／ＯＦＦ制御によってＰＴＣ素子２１に印加される平均電力あるいは平均電流が一定になるような充電電流の平均値を読み込む（ステップ４）。
【００４５】
スイッチ制御手段１６は、充電電流の平均値が読み込まれると第２スイッチ素子１９のＯＮ／ＯＦＦ制御の一周期当りのパルスのデューティ比および周波数を決定し、充電器１８からの充電電流をＰＷＭ（Ｐｕｌｓｅ  Ｗｉｄｔｈ  Ｍｏｄｕｌａｔｉｏｎ）で制御しながら、二次電池ブロック１３への低レート充電を行う（ステップ５）。
【００４６】
低レート充電が進み、二次電池ブロック１３の各電池セルの電圧および電池ブロックの全電圧が所定の電圧値以上になったことを電圧検出手段１４が検出すると、スイッチ制御手段１６は、第２スイッチ素子１９をＯＦＦし、第１スイッチ素子１５をＯＮ／ＯＦＦ制御することにより、急速充電（定電流充電）を開始する。そして満充電の電圧値に達したことを電圧検出手段１４が検出すると、充電は自動的に終了する（ステップ６）。
【００４７】
図４は、深放電状態（例として０Ｖ）から充電を行った二次電池ブロック１３において、二次電池ブロック１３の電圧値、充電器１８の出力電圧値、充電回路１２の駆動電圧、充電電流の動作タイミング（例として５Ｖ以上で動作）を示す。図４（ａ）は、充電時の二次電池ブロック１３の電圧値の推移を示している。時間ｔ１までは、トリクル充電（低レート充電）が行われ、時間ｔ１において電圧値５．６Ｖになると急速充電に切替り、二次電池ブロック１３の電圧は５．６Ｖから急速に増加する。図４（ｂ）は、充電器１８の出力電圧値の推移を示し、時間ｔ１まで、充電器１８の出力電圧は１２．６Ｖであり、その電圧が充電回路１２の駆動電圧および二次電池ブロック１３の充電電圧として供給される。そして、時間ｔ１において急速充電に切替り、充電器１８の電圧値は、一旦５．６Ｖになり、その後、二次電池ブロック１３の電圧値と共に上昇する。
【００４８】
図４（ｃ）は、充電回路１２の駆動電圧値を示し、時間ｔ１まで、１２．０Ｖの電圧が印加される。充電器１８の出力電圧は、１２．６Ｖであるが、ダイオード３０ａの接合電圧が０．６Ｖであるため、充電回路１２の駆動電圧は、０．６Ｖ低くなり１２．０Ｖとなる。時間ｔ１において充電器１８の出力電圧が５．６Ｖとなるため、充電回路１２の駆動電圧は、５．０Ｖとなる。時間ｔ１以降は、５．０Ｖより増加する。
【００４９】
図４（ｄ）は、二次電池ブロック１３への充電電流の推移を示している。時間ｔ１までは、低レート充電のため充電電流は、
充電電流＝（充電器出力電圧値−二次電池ブロック電圧値）／充電電流制限抵抗値で表され、時間経過と共に減少する。そして、時間ｔ１において、低レート充電から急速充電に切替り、充電電流は増加して一定となる（定電流充電）。
【００５０】
図６は、ＰＴＣ素子２１を使用した場合のトリクル充電（低レート充電）および急速充電における充電電流と二次電池ブロック電圧の関係を示すグラフである。
ＰＴＣ素子２１を流れる充電電流は、第２スイッチ素子１９のＯＮ／ＯＦＦ動作の制御を行うことで、第２スイッチ素子１９のＯＮ／ＯＦＦ動作の一周期における平均電流が一定となるように設定される。二次電池ブロック電圧が、Ｖ１になるとトリクル充電（低レート充電）が終了し、その後は満充電まで、第１スイッチ素子１５のＯＮ／ＯＦＦ制御を行う定電流充電となる。
【００５１】
ＰＴＣ素子２１は、温度上昇によって抵抗値が増加し、温度下降によって抵抗値が減少する可逆性のある温度スイッチと考えられるために、二次電池ブロック１３が外部要因によりショートまたは異常高温になった場合、ＰＴＣ素子２１が高抵抗となり、充電回路１２がオープン状態となり、二次電池ブロック１３の破壊を防止することができる。
【００５２】
【発明の効果】
以上より、本発明のパック電池は、充電時に各電池セルの電圧および電池ブロックの全電圧が所定の電圧値以下である場合には、第１スイッチ素子がＯＦＦされて、第２スイッチ素子によって低レート充電モードで制御を行われるために、二次電池が深放電状態であっても低レート充電が可能となる。
【００５３】
また、充電器から供給される駆動電圧がダイオードを介して印加されているために、充電前より動作状態とされ、二次電池の充放電サイクル回数および充電情報を正確に把握することができる。
【００５４】
さらに、第２スイッチ素子に直列接続される充電電流制限抵抗として、ＰＴＣ素子を使用することにより、二次電池ブロックが異常高温になった場合に、充電回路をオープン状態とし、二次電池ブロックの破壊が防止される。
【図面の簡単な説明】
【図１】本発明の実施形態であるパック電池の概略ブロック図である。
【図２】本発明の他の実施形態であるパック電池の概略ブロック図である。
【図３】そのパック電池の動作のフローチャートである。
【図４】(ａ)〜(ｄ)は、それぞれ、そのパック電池における二次電池ブロックの電圧値、充電器の出力電圧値、充電回路の駆動電圧、充電電流の動作タイミングを示すグラフである。
【図５】図２に示すパック電池に設けられているＰＴＣ素子の温度と通電電流との関係を示すグラフである。
【図６】図２に示すパック電池に設けられているＰＴＣ素子の通電電流と二次電池ブロック電圧との関係を示すグラフである。
【図７】従来のパック電池のブロック図である。
【図８】(ａ)〜(ｂ)は、それぞれ、二次電池の深放電状態での二次電池ブロックの電圧値、充電電流、パック電池内の充電回路の動作タイミングを示すグラフである。
【符号の説明】
１      パック電池
２      充電回路
３      二次電池ブロック
４      電圧検出手段
５      スイッチ素子
６      スイッチ制御手段
７      記憶手段
８      充電器
１１    パック電池
１２    充電回路
１３    二次電池ブロック
１４    電圧検出手段
１５    第１スイッチ素子
１６    スイッチ制御手段
１７    記憶手段
１８    充電器
１９    第２スイッチ素子
２０    充電電流制限抵抗
２１    ＰＣＴ素子
２２    温度検出手段
３０ａ  ダイオード
３０ｂ  ダイオード
【図１】
0003633855.tif 000003
【図２】
0003633855.tif 000004
【図３】
0003633855.tif 000005
【図４】
0003633855.tif 000006
【図５】
0003633855.tif 000007
【図６】
0003633855.tif 000008
【図７】
0003633855.tif 000009
【図８】
0003633855.tif 000010